Podtech/llm-jp-corpus-v4-ja_patent huggingface dataset:
(57)【要約】      （修正有）【課題】購入時に靴が入っている靴箱を、カビの発生や湿気によるべとつきが起こる事なく、靴の保存に適した保存箱に変更可能な靴箱を提供する。【解決手段】靴箱の側面の短辺、長辺の対向面のそれぞれにミシン目を用いて簡単に開けられるようにした空気流通穴の候補を設け、また空気流通穴の候補の位置、大きさは、穴を開けたとき、外側から覗いて内部に収納されている靴が容易に判別できるものとして靴箱を構成する。【選択図】図１
0003165221.tif 000002
【実用新案登録請求の範囲】
【請求項１】
靴箱に空気の流通を目的とした穴を設ける。穴は靴箱の短辺、長辺の対向面にそれぞれ設ける。各面の穴の位置、数は自由であるが、靴箱の強度を著しく損なわないものとする。穴は最初から開けておいてもよいが、ミシン目を用いて、自分で開けたり、穴の大きさを拡大できるようにしてもよい。
【考案の詳細な説明】
【技術分野】
【０００１】  本考案は靴箱の短辺側、長辺側それぞれの対向面に空気流通用の穴が簡単に開く装置を設け、任意の箇所に穴を開けて用いることで蒸れを防ぎ、靴本体の材質の確保及び臭気やカビ雑菌の繁殖を防止するものである。
【技術背景】
【０００２】  密閉された靴箱において、革靴などにカビが発生したり、ケミカルシューズがべとつくなどのことが見られた。また指掛穴の開いているもがあるが、それらは、その穴の数や位置など空気の流通という視点を考慮されていなかった。
【考案の概要】
【考案が解決しようとする課題】
【０００３】  靴箱内の空気が停滞しつづけることで、蒸れや、臭気、カビ雑菌の繁殖などが起き、靴を傷めていた。従来廃棄されることの多かった靴箱に実用性を与えることで、エコロジーにも役立てようとするものである。また、穴を開けて用いることで、内容物が容易に確認できるようになる。
【課題を解決するための手段】
【０００４】  長方形の靴箱の短辺側と長辺側の対向面にそれぞれ各２カ所、計４カ所に、ミシン目を用いた空気流通用穴の候補を設ける。その内、任意の２カ所以上に穴を開けることで空気を流通させる。穴の大きさは靴箱の実用的強度を損なわない程度に留めるものとする。
【考案の効果】
【０００５】  靴箱に空気流通用の穴を設けることで、蒸れや、臭気、カビ雑菌の繁殖など靴にとって有害な要素を除くことができる。またオフシーズンなど不使用靴の下駄箱以外への保存にも役立ち、単純に捨てられずに活用され、資源の保護にも貢献できるものである。
【図面の簡単な説明】
【０００６】
【図１】本考案の実施例を示す外観図である。
【図２】空気流通穴を開けた例とミシン目を２重に設けた例である。
【考案を実施するための形態】
【０００７】靴箱の短辺と長辺の対向面に各１カ所、計４カ所、もしくはそれ以上の空気流通用の穴をミシン目を用いて設ける。各穴は、ミシン目を２重にして拡大できるようにしてもよい。また、空気の流通と内容物の判別のために、対向面の穴を当初から開けておいてもよい。
【符号の説明】
【０００８】（１）靴箱の短辺側に設けるミシン目による空気流通穴の候補
（２）靴箱の長辺側に設けるミシン目による空気流通穴の候補
（３）靴箱の短辺側に開けた空気流通穴
（４）靴箱の長辺側に設けた空気流通穴の候補
（５）空気流通穴の候補のミシン目を２重にした例
（６）２重にしたミシン目の一部を開けた例
【図１】
0003165221.tif 000003
【図２】
0003165221.tif 000004
【手続補正書】
【提出日】平成22年10月18日(2010.10.18)
【手続補正１】
【補正対象書類名】実用新案登録請求の範囲
【補正対象項目名】全文
【補正方法】変更
【補正の内容】
【実用新案登録請求の範囲】
【請求項１】
（１）靴箱の側面の短辺、長辺の対向面のそれぞれにミシン目を用いて簡単に開けられるようにした空気流通穴の候補を設け、
（２）また空気流通穴の候補の位置、大きさは、穴を開けたとき、外側から覗いて内部に収納されている靴が容易に判別できるものとした、
以上からなる空気流通穴を設けた靴箱
(57)【要約】      （修正有）【課題】安価な材料と簡易な使用方法で踵・踝の褥瘡を予防・治療するヒールパッドを提供する。【解決手段】尿取りパットの素材をバスケットシューズの形状に加工し、踵・踝を保護する。粘着テープ部を足背部と足首部の２か所に配置し、足への装着・脱着を簡単にした。【選択図】図１
0003165226.tif 000002
【実用新案登録請求の範囲】
【請求項１】
尿取りパットの素材をバスケットシューズの形状に加工する。
【請求項２】
足首部・足背部の２か所に粘着テープを装着する。
【請求項３】
実際に足に装着したとき、足底部と踵の角度をおおむね８０度に保ち、踵に隙間を持たせる。
【考案の詳細な説明】
【技術分野】
【０００１】本実用新案件は、尿取りパットをバスケットシューズの形状に加工することで、寝たきり患者様の踵・踝を保護し、褥瘡の予防と治療に役立てるものである。
さらに、粘着テープを用いて、足への装着・脱着を簡易にしたものである。
【背景技術】
【０００２】踵・踝の褥瘡予防に関しては、クッションを使っての除圧が一般的であり、包み込むことにより褥瘡を予防するという発想がなかった。
【考案の概要】
【考案が解決しようとする課題】
【０００３】寝たきりの患者様は踵の皮膚が薄くなり、さらに足は外転・外旋位をとりやすい。この為、圧やズレ応力により踵・外踝に褥瘡が出来やすい。
従来は踵・踝の褥瘡予防に関しては、クッションを使っての除圧が一般的であったが、患者様の体動により除圧が不適切になったり、ズレ応力が発生したり、専門的な除圧知識が必要であり、不適切な除圧で腓骨部に褥瘡を造ることもあった。
本実用新案件は、踵・踝を包み込んで褥瘡を予防しようとする新発想によるものである。
【課題を解決するための手段】
【０００４】尿取りパットをバスケットシューズの形状に加工して足に装着することにより、踵・踝を保護する。
さらに、粘着テープを備えることで、足への装着・脱着が簡易で、創部の観察・処置も容易にできるようになった。
防水ギャザーを備えることで、創部処置後の滲出液等を外部に漏らさない。
【考案の効果】
【００５】踵・踝を包み込むため、患者様の体動があっても常に踵・踝が保護される。
尿取りパットを加工したものであるため、装着部は皮膚にやさしくソフトで吸水性もあり保温性にも優れ、ギャザー内部は創部からの汚染された滲出液も吸収し、安価なため汚染されたものは頻回に交換でき、処分も一般家庭では紙おむつと同じ処分方法がとれるため簡単である。
【図面の簡単な説明】
【図１】本実用新案案件を足に装着した図である。
【図２】［図１］のＡ、Ｂ  を含む矢状線での断面図である。
【図３】本実用新案案件の平面図である。
【図４】本実用新案案件の側面図である。
【図５】本実用新案案件の正面図である。
【実施例】［図１］本実用新案案件を足に装着した図である。
【符号の説明】１  尿取りパットの吸水部分
２  足背部用粘着テープ
３  足首用粘着テープ
４  防水ギャザー
５  隙間
【図１】
0003165226.tif 000003
【図２】
0003165226.tif 000004
【図３】
0003165226.tif 000005
【図４】
0003165226.tif 000006
【図５】
0003165226.tif 000007
【手続補正書】
【提出日】平成22年10月15日(2010.10.15)
【手続補正１】
【補正対象書類名】実用新案登録請求の範囲
【補正対象項目名】全文
【補正方法】変更
【補正の内容】
【実用新案登録請求の範囲】
【請求項１】
尿取りパットの素材で、使用者の踵・踝・アキレス腱を包み込んで保護するように、バスケットシューズの形状に尿取りパットを加工したヒールパット。
【請求項２】
使用者の足背部に相当する部位と足首部に相当する部位の２ケ所に粘着テープを持つ、請求項１記載のヒールパット。
【請求項３】
踵を頂点とし足底部とアキレス腱の角度をおおむね８０度に保った、請求項１記載のヒールパット。
(57)【要約】      （修正有）【課題】蚕の繭を、原型をできるだけ維持する状態に加工して趣向に富んだペン立を提供する。【解決手段】楕円球体状の蚕の繭１の一端部２を切除して図示しない蛹を取り出すと同時に開口部３を形成し、繭１の他端部４は真鍮製などの重い台座５に平ビス等の止め具６により固定し、止め具６の頭部にはパッド７を貼り付けてなるものである。蚕の繭を、原型をできるだけ維持する状態になっているので趣向に富んだものとなる。【選択図】図１
0003165267.tif 000002
【実用新案登録請求の範囲】
【請求項１】
蛹を取り出した蚕の繭の一端部を切除して開口部を形成し、繭の他端部は台座に固定してなるペン立。
【考案の詳細な説明】
【技術分野】
【０００１】
本考案は蚕の繭を利用したペン立に関する。
【背景技術】
【０００２】
従来のペン立は木材、プラスチック等で人工的に加工したものが殆どであるが、趣向に乏しいなどの欠点がある。
【考案の開示】
【考案が解決しようとする課題】
【０００３】
そこで本考案は、蚕の繭を、原型をできるだけ維持する状態に加工して趣向に富んだペン立を提供しようとするものである。
【課題を解決するための手段】
【０００４】
蛹を取り出した蚕の繭の一端部を切除して開口部を形成し、繭の他端部は台座に固定してなるものである。
【考案の効果】
【０００５】
本考案の効果として、蚕の繭を、原型をできるだけ維持する状態になっているので趣向に富んだものとなる。
【図面の簡単な説明】
【０００６】
【図１】本考案に係るペン立の縦断説明図。
【図２】同斜視説明図。
【実施例】
【０００７】
楕円球体状の蚕の繭１の一端部２を切除して図示しない蛹を取り出すと同時に開口部３を形成し、繭１の他端部４は真鍮製などの重い台座５に平ビス等の止め具６により固定し、止め具６の頭部にはパッド７を貼り付けてなるものである。
【０００８】
本案は以上のようになるもので、開口部３より繭１の内部にペンを挿入させるもので、繭の形を原型を殆ど維持した状態になっているので趣向に富み、文鎮代わりにもなり利用価値が大きい。
【符号の説明】
【０００９】
１：繭
２：一端部
３：開口部
４：他端部
５：台座
【図１】
0003165267.tif 000003
【図２】
0003165267.tif 000004
(57)【要約】      （修正有）【課題】室内の殺菌・浄化材，トイレ内の殺菌・消臭材・園芸植物などの殺菌・虫害発生防止材として活用することができると共に、室内用置物としても使用できる殺菌等の機能を有する黒炭を提供する。【解決手段】アルコールを原材料とする醸造酢を含浸させて炭形態を形成する殺菌等の機能を有する黒炭を特徴としている。黒炭自体が殺菌効果（ビネガー効力）を齎し、黒炭に含浸する醸造酢の自然蒸発によって室内の殺菌・清浄化を促し、また、トイレ内の殺菌・消臭を有利にし、しかも、園芸植物等の殺菌・防虫にも役立ち、また、黒炭に醸造酢を含浸させたことを特徴とするから無毒であり、そのため、安全な使用が可能になり、更には本物品を飾皿に載せることで室内置物として利用することができる。【選択図】図１
0003165236.tif 000002
【実用新案登録請求の範囲】
【請求項１】
アルコールを原材料とする醸造酢を含浸させて炭形態を形成してなる殺菌等の機能を有する黒炭。
【考案の詳細な説明】
【考案の詳細な説明】
【技術分野】
【０００１】  本考案は、殺菌機能等を発揮する黒炭に関するものである。
【技術背景】
【０００２】  従来、炭（黒炭）は燃料として、また、例えば汚水などの浄化材として用いられている。
【考案の開示】
【考案が解決しようとする課題】
【０００３】  本考案は、上記のような使用目的に供される木炭の使用領域の更なる拡大を意図するもので、具体的には、例えば室内の殺菌・浄化材，トイレ内の殺菌・消臭材，園芸植物などの殺菌・虫害発生防止材として活用することができると共に、室内用置物としても使用できる殺菌等の機能を有する黒炭を提供するものである。
【上記の課題を解決するための手段】
【０００４】  上記課題を解決するための本考案は、アルコールを原材料とする醸造酢を含浸させて炭形態を形成してなる殺菌等の機能を有する黒炭を特徴とする（請求項１）。
【考案を実施する最良の形態】
【０００５】  本考案品の実施形態を図１の構造説明図にもとづき説明すると、図面符号１は、ブナ材の落葉木に相当するクヌギまたは、その他の木を焼成して得られる一般的な切炭状の黒炭を示している。
【０００６】  図面符号２は、この切炭状黒炭１に含浸する醸造酢を示し、本考案において使用する醸造酢は、アルコールを原材料とし、酸度１５．０％を保有して成り、本考案の実施にあたっては、炭１ｋｇに対し上記の醸造酢５００ｇを含浸させることが好ましい。係る実施形態の切炭状黒炭１を受皿（図示しない）に載せ、これを室内の適所に配置したときは、黒炭１中に含浸されている醸造酢２の自然蒸発によって室内の殺菌・清浄化を可能にすると共に、本案品を受皿（図示しない）に載せ、これをトイレ内に配置したときは、黒炭１に含浸する醸造酢の自然蒸発によってトイレ内の殺菌と、トイレ特有の臭気を消臭できる。
また、本案品を受皿（図示しない）に載せ、これを園芸植物等の植栽場所に配置したときは、黒炭１に含浸する醸造酢の自然蒸発によって園芸植物等に殺菌効果を齎し、かつ、園芸植物等に虫害を発生させるような心配は解消され、正常植栽を可能にする。
【０００７】  なお、上記の醸造酢の蒸発により黒炭の表面が白化したときは、これに醸造酢を含浸させることで、持続使用が可能になる。
【考案の効果】
【０００８】  以上のように、本考案は、気体または液体物質を吸着する能力が大きい黒炭に、アルコールを原材料（酸度１５．０％）とする醸造酢を含浸させた実施形態を特徴としているから、黒炭自体が殺菌効果（ビネガー効力）を齎し、黒炭に含浸する醸造酢の自然蒸発によって室内の殺菌・清浄化を促し、また、トイレ内の殺菌・消臭を有利にし、しかも、園芸植物等の殺菌・防虫にも役立つ考案であり、また、黒炭に醸造酢を含浸させた実施形態を特徴とするから無毒であり、そのため、安全な使用が可能になり、更には本案品を飾皿に載せることで室内置物として利用することができ、このように本考案は殺菌機能等を発揮する黒炭として提供することができる。
【図面の簡単な説明】
【図１】  本考案に係る黒炭の構造説明図である。
【図面の符号】
１    黒炭
２    醸造酢
【図１】
0003165236.tif 000003
【手続補正書】
【提出日】平成22年10月14日(2010.10.14)
【手続補正１】
【補正対象書類名】実用新案登録請求の範囲
【補正対象項目名】全文
【補正方法】変更
【補正の内容】
【実用新案登録請求の範囲】
【請求項１】
アルコールを原材料とする醸造酢を含浸させ、全体を切炭形状に形成してなることを特徴とする木炭。
(57)【要約】      （修正有）【課題】製造ライン又は工場全体の生産管理システムのツールとして、管理者が生産性管理の情報である稼働率と生産状況を管理するアンドン情報を同時にパソコン等の生産管理ボードに情報を送信する機能を付加した出来高管理カウンターを安価に提供する。【解決手段】携帯式小型出来高管理カウンターに稼働率と異常発生時には異常情報を送信できる情報送信機能を付加して、稼働率と異常情報をパソコン等の管理ボードへ送信し、従来の稼働率情報とアンドン情報を一元化して製造ラインの管理を集中させ管理の効率化を安価に提供する。【選択図】図１
0003165232.tif 000002
【実用新案登録請求の範囲】
【請求項１】
設定加工タイムから累積された累積生産目標数と、加工設備より送信される生産実績を受信する加工実績信号受信端子９から入力した累積生産実績数から算出された設備稼働率を表示する設備稼働率表示パネル８と、設備稼働率を常時生産管理ボードに情報を送信する情報送信端子１２及び異常時だけ異常原因を内容別に異常情報送信ボタン１１を押し、情報送信端子１２から生産管理ボードに送信できるアンドン機能と、通信機能付出来高管理カウンター。
【考案の詳細な説明】
【技術分野】
【０００１】本考案は、製造ライン又は工場全体の生産管理システムのツールとして使用するアンドン機能と、通信機能を付加した出来高管理カウンターに関するものである。
【背景技術】
【０００２】従来、製造ライン又は工場全体の生産管理として一般的には、生産性の管理として稼働率計を固定式に設置して、また生産状況の管理として固定式アンドンを設置して、管理者が工場を巡回してチェックと処置等の管理をしていた。固定式稼働率計・アンドンは高価であり、又  管理者も工場を巡回してチェックする必要があり時間がかかり、更に工場全体の把握に遅れがでる場合もある。
【考案が解決しようとする課題】
【０００３】製造ライン又は工場全体の生産管理システムのツールとして、管理者が生産性管理の情報である稼働率と生産状況を管理するアンドン情報を同時にパソコン等の生産管理ボードに情報を送信する機能を付加した出来高管理カウンターを安価に提供することにより課題に対応する。
【考案が解決するための手段】
【０００４】生産する製品毎に設定された加工タイム（目標値）を出来高管理カウンターにセットして、生産開始に合せて出来高管理カウンターをスタートさせ、同時にパソコン等の生産管理ボードに稼働率を通信機能端子から発信する。異常発生時には異常内容により決められた異常情報送信ボタンを押し異常報告をする。管理者は生産管理ボードをチェックすれば管理対象の製造ライン又は工場の状態が一目でわかる。
【実施例】
【０００５】アンドン機能と通信機能付出来高カウンター１の構成は加工タイム表示パネル２、加工タイム設定ボタン３、累積生産目標数表示パネル４、操作ボタン５、設定加工タイム表示パネル６、累積生産実績数表示パネル７、設備稼働率表示パネル８、加工実績信号受信端子９、リセットボタン１０、異常情報送信ボタン１１、情報送信端子１２、を有する。加工タイム設定ボタン３の４つのボタンにより加工タイムを０．１秒〜９９９．９秒まで０．１秒間隔で設定し、作業開始と同時に操作ボタン５を押すと、設定した加工タイム毎に累積生産目標数表示パネル４に目標数がカウントアップされ、また加工設備から送られる加工実績がアンドン機能と通信機能付出来高管理カウンター１の加工実績信号受信端子９を通して入力し、累積生産実績数表示パネル７に実績数がカウントアップされ、目標数と実績数から算出された稼働率が設備稼働率表示パネル８、にそれぞれ表示される。同時に、稼働率が情報送信端子１２からパソコン等の生産管理ボードに送信され集中管理される、また稼働率が低下する異常が発生した場合には、異常原因を異常情報送信ボタンの異常原因項目Ａ〜Ｄの該当ボタンを押しパソコン等の生産管理ボードに情報送信端子１２を通して情報を発信する。異常原因項目Ａ〜Ｄは作業内容により異なるが、機械加工を例にすれば  Ａ；設備故障、Ｂ：不良発生、Ｃ：材料切れ、Ｄ：管理者呼出し、で対応している。管理者は異常を常時監視出来ると同時に異常原因もつかめ、即対応できライン及び工場全体の生産効率の向上が図れる。
【効果の確認】
【０００６】製造ラインあるいは工場のどの部署でどんな異常で問題が発生しているかが明確に判り適切な対応ができ、総合的な生産効率が向上できた。
【図面の簡単な説明】
【０００７】
【図１】アンドン機能と通信機能付き出来高管理カウンターを使った実施例
【符号の説明】
【０００８】  １．  アンドン機能と通信機能付き出来高管理カウンター
２．  加工タイム表示パネル
３．  加工タイム設定ボタン
４．  累積生産目標数表示パネル
５．  操作ボタン
６．  表示パネル
７．  累積生産実績数表示パネル
８．  設備稼働率表示パネル
９．  加工実績信号受信端子
１０．  リセットボタン
１１．  異常情報送信ボタン
１２．  情報送信端子
【図１】
0003165232.tif 000003
【手続補正書】
【提出日】平成22年10月15日(2010.10.15)
【手続補正１】
【補正対象書類名】実用新案登録請求の範囲
【補正対象項目名】全文
【補正方法】変更
【補正の内容】
【実用新案登録請求の範囲】
【請求項１】
設定加工タイムから累積された累積生産目標数と加工設備より送信される生産実績を受信する加工実績信号受信端子９から入力した累積生産実績数から算出された設備稼働率を表示する設備稼働率表示パネル８と、設備稼働率を常時生産管理ボードに情報を送信する情報送信端子１２及び異常時だけ異常原因を内容別に異常情報送信ボタン１１を押すことにより情報送信端子１２から生産管理ボードに異常原因を送信することができるアンドン機能と通信機能付き出来高管理カウンター。
(57)【要約】【課題】介護される人の中にはベッドでの寝返り、起き上がり、体位移動など大変困難な方もいる。又、介護する人も高齢化が進み益々負担がかかっているのが現状である。枕カバー付き介護シートは多機能でありながら安価で簡単に使え、体力的、経済的な負担を軽減する。【解決手段】シート本体に枕カバーを縫合し、裏面６箇所に帯状布を筒型にした取手を設けたシートを寝ている人の体の下に敷き、頭の重さでシートのずり下がりを防止する。より体に近い場所に帯状布を筒型にした取手を設け、それぞれ組み合わせて使用することで体の水平移動、寝返り、上体起こし、簡易タンカー等と利用できる。毎日使うものなので介助する人の体力的負担を少なくし、安価で簡単に使用できるものである。【選択図】図１
0003165234.tif 000002
【実用新案登録請求の範囲】
【請求項１】
シートに枕カバーを縫合し、裏面には肩辺り・上腕辺り・太もも辺りと左右対象に６箇所、帯状にした布を筒型取手として設け、より体に近い場所に取手を付けたところを特徴とする、枕カバー付き介護シートである。
【考案の詳細な説明】
【技術分野】
【０００１】  本考案は、枕カバーや布製取手を取り付けた多機能なシートを、身体の下に敷いて使用することによる、ずり下がり防止や起き上がり等、介護補助に関するシートの発明である。
【背景技術】
【０００２】  従来のシーツでは、体力の低下した介護される人の体がベッドの足元の方へずり下がっても、体を引きあげて正常な位置へ戻したり、上体を起こしたりすることは介護する人にとって容易ではなく負担が大きかった。
【先行技術文献】
【特許文献】
【０００３】
【特許文献１】  特許公開２００７−１８１５１０
【特許文献２】  特許公開２００１−６１３９
【考案の概要】
【考案が解決しようとする課題】
【０００４】  寝返りやベッドの傾斜によって、介護される人がシーツごと体が足元の方へずり下がり介護しづらい体勢や位置になってしまい、正常な位置へ水平に引っ張り上げることは、かなりの力が必要である。介護する側の腰や腕への負担を軽減することは、介護される人の苦痛も軽減されると考えられる。又、毎日のことなので簡単で経済的にも負担にならないことが発明の課題である。
【課題を解決するための手段】
【０００５】  シート本体の裏面に帯状にした布の取手を６箇所設ける。（２）の２つの取手の中心に枕カバーを設ける。使用する際は枕をこのカバーに巻きつけ、シートを介護される人の下に敷く。頭の重さでずり下がりを防止しているが、体を移動したい時は両肩あたりの（２）の左右の取手を持ち水平に引き上げる。上体を起こす時は太もも辺りの取手（４）と対角線上の肩辺りの取手（２）を使う。寝返りを補助するには肩辺りの取手（２）と直線上の太もも辺りの取手（４）を手前に引きつつ持ち上げる。取手の組み合わせ次第で多様な使い方ができる。又、全て布製でコンパクトに作られているので安価で洗濯しやすいシートである。
【考案の効果】
【０００６】  これまでの介護シーツは布の端に取手が付いていて、利用者の体がハンモックの中にいるような形で布に遊びが出来てしまい体重がかかりすぎていた。又、背上げベッドにおいて頭を少々高くしただけでも足元へずりさがってしまい、本来の位置へ水平移動するのは容易ではなかった。本発明はより体に近い部分に布製取手を設けることで介助する側も取手の組み合わせ次第で上体を起こすことや、寝返りの補助も少ない力で容易に出来る。そして枕カバーのみを縫合しているので使いなれた枕が使え、頭の重さでシートのずりさがり防止ができる。適度な大きさなので場所を取らず、安価使い方も簡単なので病院、介護施設、在宅介護などで使用すると最適である。
【図面の簡単な説明】
【０００７】
【図１】シート裏面上からの図
【図２】シート表面上からの図
【図３】枕装着時の表面の図
【考案を実施するための形態】
【実施例】
【０００８】  以下、本発明の実施例について説明する。
シート本体裏面に布地でできた帯を筒状にした取手を６箇所に設ける。（２）の肩辺りの取手を左右に設け、その中心に枕カバーを縫合する。肩辺りの取手に対し直角に（３）二の腕辺りに同じく布製取手を儲ける。（４）太もも辺りには斜めに布製取手を左右に設ける。使用するときは枕はカバーに巻きつけ、シートを寝ている人の体の下に敷く。
体を引き上げたい時は（２）の左右取手を持ち引き上げる。寝返りする時は直線上にある（２）と（４）の片方を持って手前に引きながら持ち上げる。上体を起こすときは（２）と対角線上の（４）を持ち半回転させながら持ち上げる。
【産業上の利用可能性】
【０００９】  病院や老人介護施設、在宅介護等で、ずり下がり防止、上下水平移動、寝返り、上体起こし、その他簡易タンカーとして介護される人と介護する人が体力的な負担を減らす多機能な介護シートに関するものである。
【符号の説明】
【００１０】（１）・・・枕カバー
（２）・・・肩辺りの左右取手
（３）・・・上腕辺りの左右取手
（４）・・・太もも辺りの斜め左右取手
（５）・・・シート本体
【図１】
0003165234.tif 000003
【図２】
0003165234.tif 000004
【図３】
0003165234.tif 000005
【手続補正書】
【提出日】平成22年10月15日(2010.10.15)
【手続補正１】
【補正対象書類名】実用新案登録請求の範囲
【補正対象項目名】全文
【補正方法】変更
【補正の内容】
【実用新案登録請求の範囲】
【請求項１】
シートに枕カバーを縫合し、裏面には肩辺り・上腕辺り・太もも辺りと左右対称に６箇所、帯状にした布を筒型取手として設けたことを特徴とする、枕カバー付介護シート。
(57)【要約】      （修正有）【課題】歯磨きをする時、従来の歯ブラシでは磨きにくかつた歯の内側をブラシの角度を変えることにより磨き易い安いようにした歯ブラシを提供する。【解決手段】歯ブラシ本体の一端に関節部分３を介してブラシ部分を取り付け、前記ブラシ部分を左右０〜９０度変えられるようにする。使用に当たっては、外側を磨くときは角度を変えずに普通の歯ブラシとして使い、内側を磨くときは０〜９０度、使い易い角度に変えて磨けるようにした。【選択図】図２
0003165235.tif 000002
【実用新案登録請求の範囲】
【請求項１】
歯ブラシの取り付け部分に、関節を付けて、ブラシ部分を左右０〜９０度変えられるようにした、関節部分。
【考案の詳細な説明】
【技術分野】
【０００１】本考案は、歯の内側を歯ブラシの角度を変えて磨き易いようにした歯ブラシである。
【背景技術】
【０００２】従来は、歯ブラシ部分の形はいろいろと市販されていたが、歯ブラシの角度が変えられるものはなかつた。
【考案の概要】
【考案が解決しようとする課題】
【０００３】歯を磨く時、外側は磨き易いが市販されている歯ブラシでは、内側が磨きにくいという問題点があつた。
【課題を解決するための手段】
【０００４】歯ブラシの取り付け部分に関節をつけて、ブラシ部分２を変えられるようにして、内側も、外側と同じ動きで磨けるようにした。
【考案の効果】
【０００５】市販されている歯ブラシでは、外側は磨き易いが、内側を磨くときブラシの角度が変えられないため、うまく磨けなかつた、そこでブラシ部分２を、角度０度から左右に９０度、変えることによつて、外側を磨くときは角度を変えずに普通の歯ブラシとして使い、内側を磨くときは０〜９０度、使い易い角度に変えて磨けるようにした。
【図面の簡単な説明】
【０００６】
【図１】本考案の正面図である。
【図２】本考案の断面図である。
【考案を実施するための形態】
【０００７】以下，本考案の実施の形態について説明する。
（イ）歯ブラシ本体１の、ブラシ２の部分に関節３を取り付け左右９０度動かせるようになつている。
（ロ）ブラシ２の部分に、関節３を設ける。
【符号の説明】
【０００８】１  歯ブラシ本体
２  ブラシ
３  関節部分
【図１】
0003165235.tif 000003
【図２】
0003165235.tif 000004
【手続補正書】
【提出日】平成22年10月13日(2010.10.13)
【手続補正２】
【補正対象書類名】実用新案登録請求の範囲
【補正対象項目名】全文
【補正方法】変更
【補正の内容】
【実用新案登録請求の範囲】
【請求項１】
歯ブラシ本体の一端に関節部分を介してブラシ部分を取り付け、前記ブラシ部分を左右０〜９０度変えられるようにした歯ブラシ。
(57)【要約】      （修正有）【課題】１枚に一個のランドル環を抽した単独視標板において、視力値の順に整頓することが容易な単独視標板を得る。【解決手段】単独視標板１の縁に視力値に応じた大きさの矩形模様２を描く。縁に描かれた矩形の大きさを目安にすれば、簡単に整頓できる。正しく整頓できれば、単独視標板をそれぞれ少しずつずらしたときに、きれいな台形を見ることができる。順序が誤っていれば台形の形が崩れるので、容易に誤りを見つけることができる。【選択図】図１
0003165259.tif 000002
【実用新案登録請求の範囲】
【請求項１】
中央に１個のランドルト環を描いた正八角形板１の各辺に沿って矩形模様２を描いた単独視標板。
【考案の詳細な説明】
【技術分野】
【０００１】  本考案は視力検査に用いる単独視標板に関する。
【考案の概要】
【考案が解決しようとする課題】
【０００２】  単独視標板は１枚に１個のランドルト環を描いたものであり、視力値の小さいものから大きいものへ１５枚くらいを１組とする。視力値の順に１枚ずつ被検査者に提示し、１回の検査に１組の単独視標板を用いる。検査が終わった時には次の検査に備えて、単独視標板を視力値の順に整頓しておくことが必要である。
従来の単独視標板を用いるとき、裏面に書かれた視力値を読んで、視力値の順に整頓するので手間がかかった。簡単に整頓できる単独視標板を得るのが本考案の課題である。
【課題を解決するための手段】
【０００３】  図１、図２に示すように、単独視標板１の縁に矩形模様２を描き、その大きさを視力値に応じて変えた。
【考案の効果】
【０００４】  縁に描かれた矩形の大きさを目安にすれば、簡単に整頓できる。正しく整頓できれば図２のように、単独視標板をそれぞれ少しずつずらしたときに、きれいな台形を見ることができる。順序が誤っていれば台形の形が崩れるので、容易に誤りを見つけることができる。
【図面の簡単な説明】
【０００５】
【図１】１枚の正面図
【図２】１組の正面図
【考案を実施するための形態】
【実施例】
【０００６】  本考案の実施例を図１および図２に示す。正八角形板１の各辺に沿って同じ形の矩形２を描く。
【符号の説明】
【０００７】１  単独視標板
２  矩形模様
【図１】
0003165259.tif 000003
【図２】
0003165259.tif 000004
(57)【要約】      （修正有）【課題】情報機器等を収納するためのラックにおいて、ハニカムコアを活用することでラック内の熱を有効に排出し強度的にも優れたラックを提供する。【解決手段】情報機器等を収納するラックにおいて、高開口率のアルミハニカムコア２により該ラックの扉１を構成する事により開口率を９０％以上と大幅に向上させ、収納した機器の熱を有効に排出できるようにして収納ラックを構成する。【選択図】図１
0003165253.tif 000002
【実用新案登録請求の範囲】
【請求項１】
情報機器等を収納するラックにおいて、高開口率のアルミハニカムコアを扉に具備する事により開口率を９０％以上と大幅に向上させ、収納した機器の熱を有効に排出できるようにした事を特徴とする収納ラック。
【考案の詳細な説明】
【技術分野】
【０００１】  本考案は情報機器等を収納するためのラックに関する。特にラック内の熱を有効に排出することに優れたラックに関する。
【背景技術】
【０００２】  従来のラックの扉には、パンチングメタルを取り付けたものがあるが、開口率を９０％以上にすることはセキュリティ・加工方法・強度の点から困難である。
【考案の概要】
【考案が解決しようとする課題】
【０００３】  情報化社会の進展につれ、情報機器の高性能化・高密度化が進んでいる。
そのため発熱量も増大し、放熱のための開口率の向上が求められている。
【課題を解決するための手段】
【０００４】  情報機器等を収納するラックにおいて、高開口率のアルミハニカムコアを扉に具備する事により開口率を９０％以上と大幅に向上させ、収納した機器の熱を有効に排出できるようにした事を特徴とする収納ラック。
【考案の効果】
【０００５】  本考案によれば従来のパンチングメタルでは９０％未満であったのに比べ、開口率を９０％以上と大幅に向上させることが出来る。
【図面の簡単な説明】
【０００６】
【図１】  実施例の扉をラックに取り付けた状態を示した正面図である。
【図２】  アルミハニカムコアの拡大図である。
【符号の説明】      １  扉
２  アルミハニカムコア
３  本体
【図１】
0003165253.tif 000003
【図２】
0003165253.tif 000004
(57)【要約】      （修正有）【課題】装飾性に加え、保温、断熱、防音効果のあるガラス装飾部材を提供する。【解決手段】２枚の板ガラスの内面空中に、着色透明化学繊維を接着剤で固定する。【選択図】図２
0003165258.tif 000002
【実用新案登録請求の範囲】
【請求項１】
２枚の板ガラスの内面中空に着色透明化学繊維を接着剤で固定し、アルミ製の枠で固定したガラス装飾部材
【考案の詳細な説明】
【技術分野】
【０００１】本考案は、二層ガラス内面中空に着色透明化学繊維織物を挟み込んだ二層装飾ガラス部材に関するものである。
【技術背景】
【０００２】既存の二層ガラス部材は透明ガラスか、ガラス自体を加工したものだけで、潤いのある美的効果が不足している。
【考案が解決しようとする課題】
【０００３】既存二層ガラスは透明もしくは曇りガラスで、これらは機能性を前提につくられており装飾効果はほとんどありません。色のついた透明化学繊維織物を二層ガラス部材中空に挟み込むことにより、立体感のある輝きのある透過光が乱反射し美的装飾性が増して、今までにない潤いのあるガラス建材とすることができる。
【課題を解決するための手段】
【０００４】本考案は、二層ガラス部材のアルミ枠にガラスを装着する時、その中空に透明化学繊維織物をガラス面に圧着することなく、中空に浮かせ立体感のある状態で接着剤で固定し装飾ガラス部材とする。
【考案の効果】
【０００５】透明二層ガラス部材の内面中空に透明化学繊維織物を挟み込むことにより時間、季節により微妙に変化する斬新な装飾ガラス部材として、暮らしに潤いをもたらす。さらに透明二層ガラス四辺を密封することにより防音、断熱、保温効果が加わり装飾性に加え機能性のあるガラス部材とすることができる。
【図面の簡単な説明】
【０００６】
【図１】本考案の一部立面断面図
【図２】本考案の一部斜め断面図
【符号の説明】
【０００７】１  透明ガラス
２  透明着色化学繊維織物
３  接着面
４  アルミ枠
【図１】
0003165258.tif 000003
【図２】
0003165258.tif 000004
(57)【要約】      （修正有）【課題】和服の着付けを容易ならしめ着崩れ、帯崩れを防止することができる帯締め補強盤を提供する。【解決手段】帯本体の重量、帯幅に対して帯締めだけでは強力な締め付けは難しく和服着用者の難題であった。この難点を解決すべく帯締めと丸型、角型、楕円型等の補強盤を組み合わせ使用することにより帯の締め付けが補強される。本補強盤は、補強盤の中心から左右対称の位置に紐を通す穴を設けたので帯を均等に締め付けることができ、帯がずれたり、型崩れが皆無になる。また、本補強盤は、補強盤の中心部を空孔にしたので、補強盤の中心部の空孔の押し付け力が補強盤の空孔周りに分散されて、帯を均等に更に強く締め付けることができ、帯がずれたり、型崩れが皆無になる。【選択図】図２
0003165255.tif 000002
【実用新案登録請求の範囲】
【請求項１】
丸型、角型、楕円型の形状のいずれからなる補強盤の中心点より左右対称に紐を通す穴を設けたことを特徴とする帯締め補強盤。
【請求項２】
上記補強盤の中心部を空孔にしたことを特徴とする請求項１に記載の帯締め補強盤。
【考案の詳細な説明】
【技術分野】    着物を着用する際の帯締め補強盤に関する。【０００１】本考案は、丸型、角型、楕円型等の合成樹脂板プラスチック板等にデザインを施した補強盤の中心から左右対称の位置に紐を通す穴を設け、その紐穴に帯締め両端を表面より裏面に向けて通し帯の前部分で従来通り帯締めを結び帯や着物や浴衣の着崩れの補強に関するものである。
【背景技術】
【０００２】組紐や打ち紐が現れ始めたたのは仏教徒とともに唐の文化が日本へ伝来した飛鳥時代といわれている。その頃の紐の用途は経巻、袈裟、数珠などに付随した紐に用いられていた。女性の服飾品として使われ始めたのが名古屋帯で、こらは、豊臣秀吉が行った朝鮮征伐の際に、参謀本部が肥前名古屋におかれ、そこに連れてこられた捕虜の中に、組み紐の職人がいて紐を組んだと言う説と、戦利品の武具の紐から利用されたと言う説があります。
一般では、男性の羽織紐や被布の飾り紐など、紐の用途は広がりましたが、帯締めとしての紐はまだ現れていませんでした。
帯締めが用いられるようになったのは、江戸時代末期からとされています。
文化１４年、江戸亀戸天神の太鼓橋落成の渡り初めに、深川芸者が締めた路港孝結びの解けを防ぐためと言われています。
この帯締めが一般女性に用いられるようになったのは、明治９年廃刀令以後と言われています。また、刀の目貫は、帯留めの金具にも応用され、帯締めや帯留めは、帯にとって欠かせないものとなったのです。
然し乍ら帯締め一本で帯を締める方法では帯崩れ、着崩れの問題は解決されず、この問題点解消に向けての考案である。
【考案の概要】
【考案が解決しようとする課題】
【０００３】従来の帯締めでは単に紐が帯に接する面積部分だけで帯の締め付け補強をしているので固定力が弱く着崩れ、帯崩れの問題が派生することが懸念され、帯締めの締め付を強化する帯締め補強盤が切望されていた。
【問題を解決するための手段】
【０００４】本考案による補強盤は、補強盤の中心から左右対称の位置に紐を通す穴を設けたので帯を均等に締め付けることができ、帯がずれたり、型崩れが皆無になった。
本考案による補強盤は、補強盤の中心部を空孔にしたので、補強盤の中心部の空孔の押し付け力が補強盤の空孔周りに分散されて、帯を均等に更に強く締め付けることができ、帯がずれたり、型崩れが皆無になった。
【考案の効果】
【０００５】上述のように本考案に係る帯締め補強盤は、和服着用の女性全般に対して着崩れ、帯崩れ等による課題に関し、簡易にその難点を補強矯正し従来問題として来た和服の着付けを容易ならしめ着崩れ、帯崩れを防止することができた。
【図面の簡単な説明】
【０００６】
【図１】本考案の帯締め補強盤の平面図である。
【図２】紐を通した状態の説明図である。
【図３】帯に補強盤を装着した説明図である。
【図４】人体に補強盤を装着した後ろ身頃の説明図である。
【考案を実施するための形態】
【０００７】本考案に係わる実施例を図１から図４を参考に以下説明する。
【実施例】
【０００８】図１に図示する如く補強盤本体１の中心点より、左右対称に紐を通す帯穴２を設け、更に補強盤の中心部に空孔を設けた。補強盤本体１の材質は合成樹脂、プラスチック等から成り、材質、形状、サイズは丸型、角型、楕円型とし帯締めと組み合わせ構成により、従来脆弱だった帯の締まり具合の機能を高め、帯崩れ、着崩れ防止をする。
図１は合成樹脂等適宜素材にて形成された帯締め補強盤本体１を示し、図２は補強盤本体１に帯締め３を通した組み合わせ図で、図３は帯締め３と本体１を組み合わせた補強盤を和服帯４に装着した説明図で、図４は人体に結ばれた和服帯４に補強盤本体１と組み合わされた帯締め３を装着した具体図である。【０００９】本考案の実施例は上述の如き構成からなるものであるから、和服着用による着崩れ防止に用いることは有効である。
【産業上の利用可能性】
【００１０】
【符号の説明】
【００１１】１  補強盤本体
２  紐穴
３  帯締め
４  和服帯
【図１】
0003165255.tif 000003
【図２】
0003165255.tif 000004
【図３】
0003165255.tif 000005
【図４】
0003165255.tif 000006
(57)【要約】      （修正有）【課題】茶葉を利用して防腐、防湿、消臭を行う遺体用布団を提供する。【解決手段】遺体に掛けられる布団であって、通気性の生地を用いて製作され、少なくとも遺体の腹部から胸部までの間を覆う大きさを有する布団本体１０と、通気性の袋に茶葉を内蔵して構成され、遺体の腹部から胸部までの部位を覆うように配列して上記布団本体に取付けられた複数の茶葉袋２０とを備える。茶葉には茶葉を煮込んで天日干しにて乾燥させたものを用いるのがよい。茶葉袋には１５ｇ〜２５ｇの茶葉を内蔵するのがよい。【選択図】図１
0003165293.tif 000002
【実用新案登録請求の範囲】
【請求項１】
遺体に掛けられる布団であって、
通気性の生地を用いて製作され、少なくとも遺体の腹部から胸部までの間を覆う大きさを有する布団本体１０と、
通気性の袋に茶葉を内蔵して構成され、遺体の腹部から胸部までの部位を覆うように配列して上記布団本体１０に取付けられた複数の茶葉袋２０と、
を備えたことを特徴とする遺体用布団。
【請求項２】
上記布団本体１０は矩形状の織布１１の周囲に帯状のレース生地１２を縫合して構成され、６つの上記茶葉袋２０が２列に配列して上記織布１１に縫合されている請求項１記載の遺体用布団。
【請求項３】
上記茶葉は茶葉を煮込んで天日干しにて乾燥させたものである請求項１記載の遺体用布団。
【請求項４】
上記茶葉袋２０には１５ｇ〜２５ｇの茶葉が内蔵されている請求項１ないし３のいずれかに記載の遺体用布団。
【請求項５】
上記布団本体１０は幅４５〜５０ｃｍ、長さ１３０ｃｍ〜１４０ｃｍの大きさである請求項１記載の遺体用布団。
【考案の詳細な説明】
【技術分野】
【０００１】
本考案は遺体用布団に関し、特に茶葉を利用して防腐、防湿、消臭を行うようにした布団に関する。
【背景技術】
【０００２】
臨終後の遺体は時間の経過とともに異臭が発生し始め、特に夏期には短時間のうちに不快な異臭が顕著となる。この異臭を防止するため、遺体の周囲にドライアイスを置き、遺体を冷却して腐敗の進行を遅らせることが行われている。
【０００３】
これに対し、大豆、米、麦などの穀物から抽出した成分を希釈してシートに含浸させ、シートを遺体に掛けることによって不快な異臭を抑える方法が提案されている（特許文献1 ）。
【０００４】
ところで、遺体を土葬していた頃には、生活の知恵から、遺体を茶葉で覆い、棺に茶葉を敷きつめ、防腐、防湿、消臭を行っていたことが知られている。
【先行技術文献】
【特許文献】
【０００５】
【特許文献１】特開２００４−２２４７２４号公報
【考案の開示】
【考案が解決しようとする課題】
【０００６】
本考案はかかる状況において、茶葉を利用して防腐、防湿、消臭を行うようにした遺体用布団を提供することを課題とする。
【課題を解決するための手段】
【０００７】
そこで、本考案に係る遺体用布団は、遺体に掛けられる布団であって、通気性の生地を用いて製作され、少なくとも遺体の腹部から胸部までの間を覆う大きさを有する布団本体と、通気性の袋に茶葉を内蔵して構成され、遺体の腹部から胸部までの部位を覆うように配列して上記布団本体に取付けられた複数の茶葉袋と、を備えたことを特徴とする。
【０００８】
本考案の特徴の１つは布団本体を通気性の生地で製作し、茶葉袋を遺体の腹部から胸部を覆うように配列して布団本体に取付けるようにした点にある。
【０００９】
これにより、茶葉の成分を遺体の腐敗の進行する部位に十分に行き渡らせることができる。茶葉の主成分であるカテキンやフラボノイドには消臭作用があり、遺体の腐敗の進行する部位を茶葉で覆うと、茶葉の消臭作用によって不快な異臭の発生を抑制でき、又遺体を茶葉の芳香によって包むことができる。
【００１０】
さらに、茶葉にはポリフェノール化合物、 エピガロカテキンガレード、サポニン、クロロフィルなどの成分が含まれ、これらの成分には防腐作用、抗菌作用及び殺菌作用があり、遺体の腐敗が抑制される。
【００１１】
また、天日干し乾燥の茶葉によって空気中の水分を吸湿するので、不快な異臭の吸着した湿気を茶葉に吸着して閉じ込めることができる。
【００１２】
布団本体は通気性のある生地で製作されればよく、例えば矩形状の薄い織布の周囲に帯状のレース生地を縫合して構成することができる。この場合、６つの茶葉袋を２列に配列して織布に縫合するようにするのがよい。
【００１３】
布団本体は少なくとも遺体の腹部から胸部までの間を覆う大きさであればよく、具体的には幅３５〜４５ｃｍ、長さ１３０ｃｍ〜１４０ｃｍの範囲内の大きさとするのが好ましい。
【００１４】
茶葉はその芳香の強さ及び吸湿性を考慮すると、茶葉を煮込んで天日干しにて乾燥させたものを用いるのがよい。１つの茶葉袋には１５ｇ〜２５ｇの茶葉を内蔵すると、芳香及び吸湿性を確保できる。
【図面の簡単な説明】
【００１５】
【図１】本考案に係る遺体用布団の好ましい実施形態を示す平面図である。
【考案を実施するための形態】
【００１６】
以下、本考案を図に示す具体例に基づいて詳細に説明する。図１は本考案に係る遺体用布団の好ましい実施形態を示す。図において、布団本体１０は幅４０ｃｍ、長さ１３０ｃｍの薄い矩形状の織布１１の周囲に帯状のレース生地１２を縫合して構成され、少なくとも遺体の腹部から胸部までの間を覆う大きさとなっている。
【００１７】
この布団本体１０の織布１１には６つの茶葉袋２０が２列に配列されている。この茶葉袋１１は縦３０ｃｍ、横１４．７ｃｍの矩形状をなし、縦方向に９．７ｃｍの間隔をあけて縫合されて遺体の腹部から胸部の部位を覆うようになっている。
【００１８】
この茶葉袋２０は通気性の袋に２０ｇの茶葉を内蔵して構成されている。茶葉には茶葉を煮込んで天日干しにて乾燥させたものが用いられている。
【００１９】
以上のように、本例の遺体用布団によれば、茶葉の消臭作用によって不快な異臭の発生を抑制でき、又遺体を茶葉の芳香によって包むことができ、さらには茶葉の防腐作用、抗菌作用及び殺菌作用によって遺体の腐敗を抑制でき、又天日干し乾燥の茶葉に不快な異臭の吸着した湿気を茶葉に吸着して閉じ込めることができる。
【符号の説明】
【００２０】
１０      布団本体                １１      織布
１２      レース生地              ２０      茶葉袋
【図１】
0003165293.tif 000003
(57)【要約】      （修正有）【課題】長寿命で、かつ、火災の心配がない省エネ対策マンション常夜灯システムを提供する。【解決手段】ＬＥＤ又はＥＬランプ、薄膜形ＥＬ、有機ＥＬ１を、電池の場合も含む電源２で点灯し、これらをセルロイド、合成樹脂又はガラスからなる透明シートでサンドイッチ構造にする。さらに、自動点滅器４を具備する。【選択図】図１
0003165208.tif 000002
【実用新案登録請求の範囲】
【請求項１】
電池を含む電源で発光するＬＥＤ又はＥＬランプ、薄膜形ＥＬ、有機ＥＬをセルロイド合成樹脂又はガラスでサンドイッチ構造にしたマンション常夜灯システム。
【請求項２】
自動点滅器を具備した事を特徴とする請求項１記載のマンション常夜灯システム。
【考案の詳細な説明】
【技術分野】
【０００１】
本考案は、従来のマンション常夜灯システムとしての蛍光灯光源省エネ対策に関する。
【背景技術】
【０００２】
電球型蛍光灯常夜灯システムがあります。
【考案の開示】
【考案が解決しようとする課題】
【０００３】
しかしながら、電球型蛍光灯常夜灯システムは、約３年の寿命で、消費電力も１２Ｗ、ジュール熱発生配線による火災事故発生の心配があるという欠点がある。
【０００４】
本考案は上記実情に鑑みてなされたものであり、ＬＥＤ電球又はＬＥＤシートの省エネ効果による対策としている。
【課題を解決するための手段】
【０００５】
上記目的を達成するため考案は、ＬＥＤ電球又はＬＥＤシートの省エネ効果を高めたマンション常夜灯システムとして次の構成を含むことを特徴としている。光源としてのＬＥＤ、ＥＬランプ、薄膜形ＥＬ、有機ＥＬを電源（電池の場合もある。）により、光源の形状にフレキシビリティを持たせた光源の薄片部を透明シート（セルロイド又は合成樹脂、ガラス）でサンドイッチ又は貼り合わせた構成に自動点滅器（光導電セル、水銀電池、接点の断続）を運用する構成である。
【考案の効果】
【０００６】
本考案により、約２０年の寿命で消費電力も７．５Ｗジュール熱発生のない火災事故発生心配のない省エネ対策マンション常夜灯システムにできる。
【図面の簡単な説明】
【０００７】
【図１】本考案のマンション常夜灯システムである。回路構成図である。
【図２】本考案の光源としてのＬＥＤ他シートの断面図（厚み方向）である。
【考案を実施するための最良の形態】
【０００８】
本考案の実施の形態の一例について図面を参照しながら説明する。
マンション常夜灯システムは図１に示すように、ＬＥＤ又はＥＬランプ、薄膜形ＥＬ、有機ＥＬ、１、を電源（電池の場合も含む）２、で光源点灯し、これらをサンドイッチ又は貼り合わせにしている透明シート（セルロイド、合成樹脂又はガラス）３、により納めたマンション各戸の常夜灯と全体の自動点滅器４、によるマンション常夜灯システムである。
【符号の説明】
【０００９】
１        ＬＥＤ又はＥＬランプ、薄膜形ＥＬ、有機ＥＬ
２        電源、電池の場合もある。
３        透明シート（セルロイド、合成樹脂又はガラス）
４        自動点滅器
【図１】
0003165208.tif 000003
【図２】
0003165208.tif 000004
(57)【要約】【課題】  手首モデルのなめらかな動き対策。【解決手段】手首モデル２、を構成する親指ドライブモータＭ1６、によりドライブされる手首モデル機構操作ワイヤ５、と人さし指ドライブモータＭ２６´によりドライブされる手首モデル機構操作ワイヤ５´とで物をつかんだりするベクトル量の相互作用（大いさ、方向、力）を第５世代コンピュータ〔推論機構〕１、により手首モデル２、のエネルギー制御線３、によりモータのエネルギー制御をサイリスタによる制御装置７´を神経情報制御線４、により、制御し手首モデル機構操作ワイヤ５，５´の選択をする事によりトランスフォーマ（手首モデルのなめらかな動き対策）ができる。【選択図】      図１
0003165207.tif 000002
【実用新案登録請求の範囲】
【請求項１】
複数のワイヤを巻くモータの選択とそのエネルギー制御のサイリスタによる制御装置のオペレート情報を第５世代コンピュータ推論機構で得て処理する手首モデルトランスフォーマ。
【考案の詳細な説明】
【技術分野】
【０００１】
本考案は、従来の手首モデルとしてのなめらかな動き対策手首モデルトランスフォーマに関する。
【背景技術】
【０００２】
つくば´８５出品ピアノを弾くロボットがあります。
【考案の開示】
【考案が解決しようとする課題】
【０００３】
しかしながら、つくば科学万博´８５ロボットでは、「神の前に機械がある。（ファンデルフォンノイマン）」ノイマン型であり、なめらかな動きに足りないという欠点がある。
【０００４】
本考案は、上記実情に鑑みてなされたものであり、神、（情報）の認識をノイマン型コンピュータ（聖書あるのみ＝マルチンルター“速さ”から“速さと時間のトレードオフ”と変革した第５世代コンピュータ（推論機構）への変革によるなめらかな動き対策を目的としている。
【課題を解決するための手段】
【０００５】
上記目的を達成するため考案は、第５世代コンピュータ（推論機構）により並列処理によるエネルギーを情報制御する事であり、次の構成を含むことを特徴としている。第５世代コンピュータにより手首モデルのなめらかな動きを確保するエネルギー制御線で並列制御されるモータと神経情報制御線でサイリスタによる制御装置をプログラム自動操縦としてモータのエネルギー制御を並列処理制御される手首モデル機構操作ワイヤでドライブする構成である。
【考案の効果】
【０００６】
本考案により、電子メディア化した神（情報）の認識に基くベクトル量（大いさ、方向、力）のなめらかな動き手首モデルトランスフォーマにできる。
【図面の簡単な説明】
【０００７】
【図１】本考案の手首モデルトランスフォーマである。
【考案を実施するための形態】
【０００８】
本考案の実施の形態の一例について、図面を参照しながら説明する。
手首モデルトランスフォーマは、図１に示すように、手首モデル２、構成する親指ドライブモータＭ1６によりドライブされる手首モデル機構操作ワイヤ５、と人さし指ドライブモータＭ２６´によりドライブされる手首モデル機構操作ワイヤ５´とで物をつかんだりするベクトル量（大いさ、方向、力）の相互作用を第５世代コンピュータ〔推論機構〕１、により手首モデル２、のエネルギー制御線３、をモータのエネルギー制御にサイリスタによる制御装置ＴＳ１，ＴＳ２７，７´を神経情報制御線４、により、情報処理制御し手首モデル機構操作ワイヤ５，５´の選択をする事により手首モデルトランスフォーマができる。
【符号の説明】
【０００９】
１          第５世代コンピュータ〔推論機構〕
２          手首モデル
３          エネルギー制御線
４          神経情報制御線
５，５´    手首モデル機構操作ワイヤ（指のまげ長さ分の所に止めてある。）
６，６´    モータＭ1，Ｍ２ 
７，７´    サイリスタによる制御装置ＴＳ１，ＴＳ２
【図１】
0003165207.tif 000003